(57)【特許請求の範囲】
【請求項１】
電磁石に吸着保持される鉄片部材を緩衝ばねを介在させて取り付けておりセット作動時に前記鉄片部材が前記電磁石に接してからは前記緩衝ばねを緊張させつつセット位置まで作動し撮影時には前記電磁石に対する通電後に前記緩衝ばねの付勢力によって露光作動開始位置まで作動して一旦停止し前記電磁石に対する通電が断たれたとき羽根群に露光作動を行なわせる駆動部材と、押動部と駆動ばね用押動部とを有しておりセット作動時には初期位置から作動して前記押動部によって前記駆動部材をセット位置まで作動させ撮影時には前記鉄片部材が前記電磁石に吸着保持されてから初期位置へ復帰するセット部材と、セット作動の途中までは一端部を前記駆動部材のばね掛け部に掛けていて前記駆動部材によって緊張され前記鉄片部材が前記電磁石に接触する直前からは前記一端部が前記ばね掛け部から離され前記駆動ばね用押動部に押されることによって緊張され撮影時には前記駆動部材が露光作動開始位置で停止した直後に前記一端部が前記ばね掛け部に掛けられ前記駆動部材に露光作動を行なわせ得るようにした駆動ばねとを備えていることを特徴とするカメラ用フォーカルプレンシャッタ。
【請求項２】
前記セット部材に、セット位置から初期位置へ復帰作動を行うための復帰ばねが掛けられていて、前記駆動ばねは、撮影時において前記一端部が前記駆動部材の前記ばね掛け部に掛けられるまで、前記駆動ばね用押動部を介して、前記セット部材を復帰作動方向へ付勢しているようにしたことを特徴とする請求項１に記載のカメラ用フォーカルプレンシャッタ。
【発明の詳細な説明】
【０００１】
【発明の属する技術分野】
本発明は、撮影に際して、先羽根群と後羽根群とを同一方向へ順次作動させ、その二つの羽根群のスリット形成羽根同士によって形成されたスリットにより、露光を行うようにしたカメラ用のフォーカルプレンシャッタに関する。
【０００２】
【従来の技術】
この種の通常のフォーカルプレンシャッタは、先羽根群と後羽根群が、それらを連結している先羽根用駆動部材と後羽根用駆動部材によって作動させられる。そして、それらの駆動部材は、露光作動時には、夫々、先羽根用駆動ばねの付勢力と後羽根用駆動ばねの付勢力によって、露光作動開始位置から、撮影条件によって決められた所定のタイミングによって順に作動させられ、また、セット作動時には、セット部材によって、それらの駆動ばねの付勢力に抗して作動させられるようになっている。
【０００３】
ところで、露光作動の開始に先立って、上記の各駆動部材を露光作動開始位置に保持する構成には、係止タイプと称されているものとダイレクトタイプと称されているものがあるが、本発明は、ダイレクトタイプを採用したフォーカルプレンシャッタに関するものである。周知のように、ダイレクトタイプの構成は、各駆動部材に鉄片部材を取り付けておき、露光作動の開始直前には、各鉄片部材が夫々の電磁石に吸着されることによって、各駆動部材が露光作動開始位置に保持されるようにしている。そのため、係止タイプに比較して、コンパクト化し易い構成ではあるが、製作上においては種々の問題点を有しているため、いろいろな対策を必要としている。
【０００４】
先ず、セット部材が二つの駆動部材をセット作動させるとき、その作動の最終段階において、二つの鉄片部材を夫々の電磁石に対して全く同時に接触させるように製作することが不可能である。そのため、通常の場合は、各鉄片部材を、夫々の駆動部材に固定することなく、ばねを介在させて取り付けるようにし、両方の鉄片部材が夫々の電磁石に確実に接触できる段階まで、両方の駆動部材を作動させ得るようにしている。従って、そのセット完了状態においては、各駆動部材は、必要以上に作動させられた位置にあり、その分だけ上記の各駆動ばねを所謂オーバーチャージ状態にし、また、鉄片部材と電磁石との接触以後、鉄片部材との間に介在しているばねを緊張させたことによって、鉄片部材との相対関係を変えた状態になっている。
【０００５】
また、最近のカメラは、撮影が終了すると、フィルムの巻上げとシャッタのセットが直ちに行なわれるようになっている。そして、電源電池の浪費を防ぐ意味から、上記の各電磁石に対する通電は、シャッタのセット段階では行なわず、次の撮影が行なわれる直前になってから行なうようにしている。そのため、ダイレクトタイプの場合には、セット部材を、セット作動終了後、直ちにセット前位置（以下、初期位置という）へ復帰させることができず、次の撮影が行なわれるまで、セット位置に留めておくようにしている。
【０００６】
そして、次の撮影が行なわれるときには、先ず、各電磁石に通電し、各鉄片部材を吸着保持しておいてから、セット部材を初期位置へ復帰させ、その後に、各電磁石への通電を順に断ち、夫々の駆動部材に露光作動を行わせるようにしている。しかしながら、そのようにして、セット部材が初期位置へ復帰するとき、各駆動部材は、夫々、オーバーチャージされている各駆動ばねの付勢力と、鉄片部材との間に介在させられ上記のようにして緊張させられたばねの付勢力とによって、セット位置から僅かに作動させられ、既に電磁石によって吸着されている鉄片部材によってその作動を阻止されることになる。このようにして停止した位置が、各駆動部材や各羽根群にとっての露光作動開始位置となっている。従って、各駆動部材は、このような露光作動開始位置に一旦停止した後に、上記したように各電磁石への通電が断たれて、露光作動を開始することになる。
【０００７】
【発明が解決しようとする課題】
ところで、上記のようにして各駆動部材が露光作動開始位置で停止するとき、上記の各ばねの付勢力と羽根群の慣性力によって、鉄片部材に対して瞬間的に大きな衝撃力が作用する。そして、電磁石による吸着力が十分でないと、各駆動部材は露光作動開始位置で一旦停止せず、羽根群を伴って暴走してしまうことになる。そのため、従来は、各電磁石に対する供給電力を可成り大きくして、そのような現象が生じないようにしていた。しかし、最近のように、カメラの電動化が進んでくると、各電磁石に対する供給電力を如何にして少なくて済むようにするかが大きな課題となってきた。そこで、そのような観点から提案されたものが、特開平９−３０４８０７号公報などに記載されている。しかしながら、これまでのものは、機能的には効果が得られるものの、部品点数が多くなって構成が可成り複雑になるため、コンパクト化や低コスト化を要求される場合には、好ましくないという問題点があった。
【０００８】
また、この種のシャッタには、撮影時の初期段階において、セット部材が、復帰ばねの付勢力によって初期位置へ復帰するようにしたものがある。そして、そのように構成されたものは、通常、セット状態において、駆動ばねの大きな力が、駆動部材を介してセット部材に伝えられ、その力の作用線が、セット部材の回転軸を略通るようになっている。そのため、セット部材が、初期位置へスムーズに復帰するためには、復帰ばねの付勢力を或る程度大きくしなければならず、その分、セットトルクを大きくしなければならないという問題点があった。また、カメラを長期間使用しないでいた場合などには、駆動部材とセット部材との接触部が、駆動ばねの大きな力で圧接されていることから、特開平１１―１０２０００号公報にも記載されているように、種々の原因によって、それらの間に接着現象が生じ、セット部材が復帰ばねの付勢力によって初期位置へスムーズに復帰しないどころか、全く復帰しないこともあるという問題点があった。
【０００９】
本発明は、このような問題点を解決するためになされたものであり、その目的とするところは、駆動部材が、露光作動に先立ってセット位置から露光作動開始位置に達したとき、従来のように駆動ばねの付勢力が、電磁石に吸着されている鉄片部材を、電磁石から離反させる力として作用しないようにしたダイレクトタイプのカメラ用フォーカルプレンシャッタを提供することである。
また、本発明のもう一つの目的は、セット部材が復帰ばねの付勢力によって初期位置へ復帰するように構成した場合に、復帰ばねの付勢力を余り大きくしなくても、セット部材がスムーズに初期位置へ復帰できるようにしたダイレクトタイプのカメラ用フォーカルプレンシャッタを提供することである。
【００１０】
【課題を解決するための手段】
上記の目的を達成するために、本発明のカメラ用フォーカルプレンシャッタは、電磁石に吸着保持される鉄片部材を緩衝ばねを介在させて取り付けておりセット作動時に前記鉄片部材が前記電磁石に接してからは前記緩衝ばねを緊張させつつセット位置まで作動し撮影時には前記電磁石に対する通電後に前記緩衝ばねの付勢力によって露光作動開始位置まで作動して一旦停止し前記電磁石に対する通電が断たれたとき羽根群に露光作動を行なわせる駆動部材と、押動部と駆動ばね用押動部とを有しておりセット作動時には初期位置から作動して前記押動部によって前記駆動部材をセット位置まで作動させ撮影時には前記鉄片部材が前記電磁石に吸着保持されてから初期位置へ復帰するセット部材と、セット作動の途中までは一端部を前記駆動部材のばね掛け部に掛けていて前記駆動部材によって緊張され前記鉄片部材が前記電磁石に接触する直前からは前記一端部が前記ばね掛け部から離され前記駆動ばね用押動部に押されることによって緊張され撮影時には前記駆動部材が露光作動開始位置で停止した直後に前記一端部が前記ばね掛け部に掛けられ前記駆動部材に露光作動を行なわせ得るようにした駆動ばねとを備えているようにする。
また、本発明のカメラ用フォーカルプレンシャッタにおいては、前記セット部材に、セット位置から初期位置へ復帰作動を行うための復帰ばねが掛けられていて、前記駆動ばねは、撮影時において前記一端部が前記駆動部材の前記ばね掛け部に掛けられるまで、前記駆動ばね用押動部を介して、前記セット部材を復帰作動方向へ付勢しているようにしてもよい。
【００１１】
【発明の実施の形態】
本発明の実施の形態を、図１〜図９に示した実施例によって説明する。尚、図１は、カメラに組み込まれた状態において被写体側から視たときの略左半分だけを示した平面図であって、露光作動終了直後の状態を示したものである。また、図２〜図９は、本実施例の各作動状態を説明するために、図１に示された構成の要部だけを示した平面図であって、図２〜図８は、セット過程を説明するためのものであり、図９は、シャッタがレリーズされたとき、先羽根用駆動部材と後羽根用駆動部材とが、露光作動に先立って、露光作動開始位置に達したときの状態を説明するためのものである。
【００１２】
先ず、図１を用いて、本実施例の構成から説明するが、その説明にあたっては、被写体側を表面側と称し、結像面側を背面側と称することにする。シャッタ地板１には、その略中央部に長方形を横長にした開口部１ａが形成されている。しかし、上記したように、図１はシャッタの略左半分を示したものであるから、その開口部１ａについても、左側の一部だけが示されている。また、周知のように、シャッタ地板１の背面側には、所定の間隔を空けて、図示していない中間板と補助地板が取り付けられており、シャッタ地板１と中間板との間に先羽根群の羽根室を形成し、中間板と補助地板との間に後羽根群の羽根室を形成している。そして、中間板と補助地板にも、開口部１ａと類似の開口部が形成されていて、通常は、それらの三つの開口部を重ね合わせて露光開口を規制するようにしているが、本実施例においては、開口部１ａの形状が露光開口を規制しているものとして説明する。
【００１３】
開口部１ａの左側には、円弧状の三つの長孔１ｂ，１ｃ，１ｄが形成されており、それらのうち、長孔１ｂ，１ｃの下方端部には、平面形状がＣ字状をしている周知の緩衝部材２，３が取り付けられている。また、シャッタ地板１の表面側には、軸１ｅ，１ｆ，１ｇが立設されていて、背面側には、軸１ｈ，１ｉ，１ｊ，１ｋが立設されている。そして、それらの軸のうち、軸１ｅと軸１ｈ、及び軸１ｆと軸１ｊは、夫々同心上に配置されている。そのため、通常は同一部材として製作され、シャッタ地板１に固定されるようにすることが多いが、シャッタ地板１と共に合成樹脂で一体的に成形されることもある。
【００１４】
上記の軸１ｅには、先羽根用駆動部材４が回転可能に取り付けられており、露光作動時には、先羽根用駆動ばね５の付勢力によって時計方向へ回転するようになっている。この先羽根用駆動部材４は、合成樹脂製であって、被押動部４ａと、駆動ピン４ｂと、取付部４ｃと、筒部４ｄとを有していて、筒部４ｄを軸１ｅに嵌合させている。また、先羽根用駆動ばね５は、コイル部を筒部４ｄに緩く嵌装していて、その一方の端部５ａを図示していない部材に掛け、図１においては他方の端部５ｂを取付部４ｃに掛けている。
【００１５】
また、この先羽根用駆動部材４の駆動ピン４ｂは、背面側に立設されていて、シャッタ地板１の長孔１ｂを貫通しており、その断面形状は、根元部がＤ型であって先端部が小判型をしており、その根元部は上記の緩衝部材２に当接するようになっている。更に、先羽根用駆動部材４の取付部４ｃは、表面側に大きく隆起しており、図１において破断して示したように、その内部には、鉄片部材６が圧縮ばね７を介在させて取り付けられている。即ち、鉄片部材６は、鉄片部６ａと、軸部６ｂと、頭部６ｃとで構成されていて、圧縮ばね７によって、鉄片部６ａを外部へ突き出すように付勢されているが、図１においては、頭部６ｃが取付部４ｃに当接することにより、それ以上は突き出さない状態となっている。
【００１６】
シャッタ地板１の軸１ｆには、合成樹脂製の後羽根用駆動部材８が回転可能に取り付けられていて、露光作動時には、後羽根用駆動ばね９の付勢力によって時計方向へ回転されるようになっている。この後羽根用駆動部材８は、被押動部８ａと、駆動ピン８ｂと、取付部８ｃと、筒部８ｄと、ばね掛け部８ｅとを有していて、筒部８ｄを軸１ｆに嵌合させている。また、後羽根用駆動ばね９は、コイル部を筒部８ｄに緩く嵌装し、その一方の端部９ａを図示していない部材に掛けており、図１においては他方の端部９ｂをばね掛け部８ｅに掛けている。
【００１７】
また、この後羽根用駆動部材８の駆動ピン８ｂは、背面側に立設されていて、シャッタ地板１の長孔１ｃを貫通しており、その断面形状は、根元部が円形であって先端部が小判型をしており、その根元部は上記の緩衝部材３に当接するようになっている。更に、後羽根用駆動部材８の取付部８ｃは、表面側に隆起していて、その内部には鉄片部材１０が圧縮ばね１１を介在させて取り付けられている。即ち、この鉄片部材１０も、上記の鉄片部材６と同様にして、鉄片部１０ａと、軸部１０ｂと、頭部１０ｃとで構成されていて、圧縮ばね１１によって、鉄片部１０ａを外部へ突き出すように付勢されているが、図１においては、頭部１０ｃが取付部８ｃに当接し、それ以上は突き出さない状態となっている。
【００１８】
また、周知であるため、詳細な構成の図示を省略しているが、シャッタ地板１の表面側には、所定の間隔を空けて、シャッタ地板１と平行に支持板が取り付けられていて、その支持板には、先羽根用電磁石１２と後羽根用電磁石１３が取り付けられているが、各図においては、その鉄芯の概略的な平面形状だけを一点鎖線で示してある。そして、電磁石１２，１３は、それらのコイルに通電されたとき、上記した鉄片部材６，１０の鉄片部６ａ，１０ａを吸着保持し得るようになっている。更に、上記した図示していない支持板には、ばね掛け部１４が設けられており、各図においては、それも一点鎖線で示してある。
【００１９】
シャッタ地板１の軸１ｇには、合成樹脂製のセット部材１５が回転可能に取り付けられていて、復帰ばね１６によって反時計方向へ回転するように付勢されている。このセット部材１５は、押動部１５ａ，１５ｂと、駆動ばね用押動部１５ｃ，１５ｄと、被押動部１５ｅと、ばね掛け部１５ｆと、ピン１５ｇと、筒部１５ｈとを有していて、筒部１５ｈを軸１ｇに嵌合させている。そして、背面側に設けられたピン１５ｇは、シャッタ地板１の長孔１ｄに挿入されていて、図１に示すように、その長孔１ｄの右端縁に当接することによって、セット部材１５の反時計方向への回転が阻止されるようになっている。また、復帰ばね１６は、コイル部を筒部１５ｈに緩く嵌装し、その一方の端部１６ａを上記した図示していない支持板のばね掛け部１４に掛け、他方の端部１６ｂをセット部材１５のばね掛け部１５ｆに掛けている。
【００２０】
次に、シャッタ地板１の背面側に配置されている先羽根群と後羽根群の構成を説明する。先ず、先羽根群は、シャッタ地板１の軸１ｈ，１ｉに対して回転可能に取り付けられた二つのアーム１７，１８と、それらの先端部に向けて順に枢支された２枚の羽根１９，２０で構成されており、アーム１７，１８の先端部に枢支された羽根２０がスリット形成羽根となっている。そして、アーム１７に形成された小判型の孔１７ａには、先羽根用駆動部材４の駆動ピン４ｂの先端部が嵌合されている。また、後羽根群は、シャッタ地板１の軸１ｊ，１ｋに対して回転可能に取り付けられた二つのアーム２１，２２と、それらの先端部に向けて順に枢支された３枚の羽根２３，２４，２５で構成されていて、羽根２５がスリット形成羽根となっている。そして、アーム２１に形成された小判型の孔２１ａには、後羽根用駆動部材８の駆動ピン８ｂの先端部が嵌合している。
【００２１】
次に、本実施例の作動を説明する。図１は、露光作動終了直後の状態を示している。従って、先羽根用駆動部材４は先羽根用駆動ばね５によって時計方向へ回転するように付勢されているが、駆動ピン４ｂを緩衝部材２に当接させることによって、停止状態が維持されている。そして、このとき、先羽根群の２枚の羽根１９，２０は、重畳されて開口部１ａの下方位置に格納されている。また、後羽根用駆動部材８は後羽根用駆動ばね９によって時計方向へ回転するように付勢されているが、駆動ピン８ｂを緩衝部材３に当接させることによって、停止状態が維持されている。そして、このとき、後羽根群の３枚の羽根２３，２４，２５は展開されて開口部１ａを覆っている。更に、セット部材１５は復帰ばね１６によって反時計方向へ回転するように付勢されているが、ピン１５ｇを長孔１ｄの右端縁に当接させることによって、停止状態が維持されている。尚、セット部材１５については、以後、この位置を初期位置と称することにする。
【００２２】
このような図１の状態において、フィルムの巻き上げが行われると、セット部材１５が、図示していないカメラ本体側の部材によって被押動部１５ｅを押され、復帰ばね１６の付勢力に抗して時計方向へ回転させられる。そして、先ず、セット部材１５の押動部１５ａが先羽根用駆動部材４の被押動部４ａを押して、先羽根用駆動ばね５の付勢力に抗して先羽根用駆動部材４を反時計方向へ回転させていく。また、この回転によって、先羽根用駆動部材４の駆動ピン４ｂがアーム１７を反時計方向へ回転させるので、先羽根群の２枚の羽根１９，２０は、相互の重なり量を減じながら上方へ移動していくことになる。その後、先羽根群のスリット形成羽根２０と、後羽根群のスリット形成羽根２５との重なり量が所定量に達すると、セット部材１５の押動部１５ｂが後羽根用駆動部材８の被押動部８ａに接触する。そのときの状態が図２に示されている。
【００２３】
従って、その後は、後羽根用駆動部材８も、その被押動部８ａがセット部材１５の押動部１５ｂに押されることによって、後羽根用駆動ばね９の付勢力に抗して反時計方向へ回転させられていくことになる。また、そのとき、駆動ピン８ｂがアーム２１を反時計方向へ回転させるので、後羽根群の３枚の羽根２３，２４，２５が、相互の重なり量を大きくしながら上方へ移動していくことになる。そして、やがて図３に示した状態となるが、この図３の状態においては、図２の状態と比較すれば分かるように、セット部材１５の一方の駆動ばね用押動部１５ｄが、後羽根用駆動ばね９の端部９ｂと干渉することなく、その端部９ｂの左側に位置するようになっている。
【００２４】
その後、セット部材１５が図３の状態から更に時計方向へ回転した状態が、図４に示されている。この状態になると、セット部材１５の他方の駆動ばね用押動部１５ｃが、先羽根用駆動ばね５の端部５ｂに右下方から接した状態になるが、このとき、上記した一方の駆動ばね用押動部１５ｄは、未だ後羽根用駆動ばね９の端部９ｂに接触していない。そのため、この図４の状態以後においては、先羽根用駆動ばね５は、先羽根用駆動部材４を介して緊張されていくのではなく、セット部材１５の駆動ばね用押動部１５ｃによって直接緊張されていくことになる。即ち、先羽根用駆動ばね５の端部５ｂが、そのばね掛け部の役目をしていた先羽根用駆動部材４の取付部４ｃから離れていくことになる。
【００２５】
そして、その後、セット部材１５の駆動ばね用押動部１５ｄも、後羽根用駆動ばね９の端部９ｂに接触した状態が、図５に示されている。従って、この状態以後は、後羽根用駆動ばね９も、後羽根用駆動部材８を介して緊張されていくのではなく、セット部材１５の駆動ばね用押動部１５ｄによって直接緊張されていくことになる。即ち、図５に示された状態以後は、先羽根用駆動ばね５も、後羽根用駆動ばね９も、共に、各駆動部材４，８を仲介せず、セット部材１５によって緊張されていくことになる。
【００２６】
その後、図６に示されているように、先羽根用駆動部材４に取り付けられた鉄片部材６の鉄片部６ａが先羽根用電磁石１２に接触する。このとき、後羽根用駆動部材８に取り付けられた鉄片部材１０の鉄片部１０ａは、未だ後羽根用電磁石１３に接触していない。そして、図示していないが、この状態になると、先羽根群の羽根１９，２０は、展開状態となって開口部１ａを完全に覆っている。
【００２７】
セット部材１５が図６の状態から僅かに時計方向へ回転された状態が、図７に示されている。この状態は、後羽根用駆動部材８に取り付けられた鉄片部材１０の鉄片部１０ａが、後羽根用電磁石１３に接触したときの状態であり、図示していないが、このとき、後羽根群の羽根２３，２４，２５は、重畳状態となって開口部１ａの上方へ移動している。また、先羽根用駆動部材４は、図６の状態から僅かに反時計方向へ回転されているため、鉄片部材６の鉄片部６ａは、圧縮ばね７（図１参照）の付勢力に抗して取付部４ｃ内に押し込まれ、逆に、鉄片部材６の頭部６ｃは、取付部４ｃから離されている。しかし、この段階においては、未だ、先羽根用駆動部材４と鉄片部材６との相対関係のずれが極めて僅かであるため、図面上では、それを確認することが難しい。
【００２８】
セット部材１５は、なおも時計方向へ回転され、図８の状態で停止される。その状態がシャッタのセット状態である。そして、上記した図示していないカメラ本体側の部材は、セット部材１５の被押動部１５ｅを押した状態のままで停止するため、セット部材１５も、復帰ばね１６の付勢力によって初期位置へ復帰することができず、次の撮影が行なわれるまで、この状態を維持されることになる。また、図７の状態から、先羽根用駆動部材４も後羽根用駆動部材８も、圧縮ばね７，１１（図１参照）の付勢力に抗して反時計方向へ回転されたため、このセット状態においては、各鉄片部材６，１０の鉄片部６ａ，１０ａが取付部４ｃ，８ｃ内に可成り押し込まれ、その分だけ軸部６ｂ，１０ｂが取付部４ｃ，８ｃから露出させられている。
【００２９】
次の撮影に際して、カメラのレリーズボタンが押されると、先ず、各電磁石１２，１３に通電され、鉄片部材６，１０の鉄片部６ａ，１０ａが吸着保持される。次に、図示していないカメラ本体側の部材が、セット部材１５の被押動部１５ｅから退いていくと、セット部材１５は、復帰ばね１６の付勢力によって反時計方向へ回転され、初期位置へ向けて復帰作動を開始するが、本実施例の場合には、先羽根用駆動ばね５の付勢力と、後羽根用駆動ばね９の付勢力とが、その復帰作動に有効に作用するようになっている。
【００３０】
その点を、先羽根系の場合で（後羽根系の場合も実質的には同じ）詳しく説明することにする。周知のように、従来の構成においては、このセット状態においても、先羽根用駆動ばね５の端部５ｂは、取付部４ｃに掛けられたままであった。従って、セット状態において、先羽根用駆動ばね５の極めて大きな力は、先羽根用駆動部材４の被押動部４ａからセット部材１５の押動部１５ａに与えられ、しかも、その力の作用線は、略軸１ｇを通るようになっていた。そのため、撮影に際して、セット部材１５が、初期位置へスムーズに復帰できるようにするためには、上記の力に打ち勝つように復帰ばね１６の付勢力を或る程度大きくしなければならず、その分、セットトルクを大きくしなければならないという問題点があった。
【００３１】
また、カメラを長期間使用しなかったりすると、被押動部４ａと押動部１５ａとが極めて大きな力で圧接されていることから、種々の原因によって、それらの間に接着性を帯びてしまうことがあり、撮影に際して、セット部材１５が、復帰ばね１６の付勢力によって初期位置へスムーズに復帰しないばかりか、全く復帰しないような現象（先羽根駆動部材４とセット部材１５を合成樹脂で製作した場合に、比較的生じ易い）を生じてしまうことがあった。
【００３２】
しかしながら、本実施例の場合には、被押動部４ａから押動部１５ａに与えられる力は、比較的小さな圧縮ばね７の付勢力だけであり、しかも、先羽根用駆動ばね５の極めて大きな付勢力が、セット部材１５の復帰作動の初期段階においては、セット部材１５を復帰方向へ回転させるように作用するので、セット部材１５の復帰作動は、余り付勢力の大きくない復帰ばね１６によって初期位置へスムーズに復帰することが可能になっている。
【００３３】
このようにして、セット部材１５が初期位置への復帰作動を開始すると、セット部材１５の押動部１５ａ，１５ｂが、各駆動部材４，８の被押動部４ａ、８ａから退いていくので、各駆動部材４，８は、圧縮ばね７，１１の付勢力によって（但し、周知のように、ガタ寄せばねと称されている弱いばねによって、各羽根群のアーム１８，２２を、露光作動方向（時計方向）へ付勢しておく構成が知られているが、そのように構成されている場合には、厳密には、そのガタ寄せばねの付勢力も加味される）、時計方向へ回転されていく。そして、各駆動部材４，８は、各取付部４ｃ，８ｃを各鉄片部材６，１０の頭部６ｃ，１０ｃに当接させて、一時的に停止させられるが、セット部材１５は、その後も回転を続け、初期位置に戻って停止する。その状態が図９に示された状態であり、各駆動部材４，８にとっては、この図９の位置が露光作動開始位置である。
【００３４】
ところで、上記の過程において、従来の構成においては、極めて不都合なことがあった。それを、後羽根系の場合で（先羽根系の場合も実質的に同じ）詳細に説明しておく。従来の構成は、図８の状態において、後羽根用駆動ばね９が、後羽根用駆動部材８を時計方向へ回転させるように付勢していた。そのため、後羽根用駆動部材８が、図８の状態から図９の状態まで回転し、取付部８ｃが鉄片部材１０の頭部１０ｃに当接するとき、圧縮バネ１１の復元力のみならず、強力な後羽根用駆動ばね９の付勢力や、その強い付勢力に基づく後羽根群の慣性力も作用し、鉄片部材１０には極めて大きな衝撃力が加わっていた。従って、従来は、そのような衝撃力に耐えるために、後羽根用電磁石１３に大きな電流を供給するようにしていたが、そのようにすると、電池の消耗が大きく、且つ電磁石も大型化するという不都合があった。そのため、従来から、この点についての改善策が種々提案されている。
【００３５】
ところが、本実施例の場合は、図８の状態において、後羽根用駆動部材８に、後羽根用駆動ばね９の付勢力が作用していない。また、後羽根用駆動部材８が、図８の状態から時計方向へ回転し、取付部８ｃが鉄片部材１０の頭部１０ｃに当接した状態は、図７に示された状態に相当しているが、そのときにも、未だ後羽根用駆動ばね９の付勢力は作用していない。そのため、その当接時の衝撃力は極端に緩和されることになる。また、その当接の直後においては、図９に示すように、後羽根用駆動ばね９の端部９ｂがばね掛け部８ｅを押し、後羽根用駆動部材８を時計方向へ付勢するようになるが、そのときには、既に取付部８ｃと頭部１０ｃとは接触状態となっているので、後羽根用電磁石１３から鉄片部材１０を離反させるように作用する力は、従来の構成の場合の衝撃力に比べれば、後羽根群の慣性力を伴わないので可成り小さくなっている。尚、念のため述べておくが、本実施例において、先羽根用駆動部材４が図８の状態から時計方向へ回転し、取付部４ｃが鉄片部材６の頭部６ｃに当接した状態は、図６に示された状態に相当している。
【００３６】
このようにして、図９に示された状態が得られた後、最初に先羽根用電磁石１２に対する通電が断たれ、所定時間後に後羽根用電磁石１３に対する通電が断たれる。それによって、先羽根用駆動部材４と後羽根用駆動部材８が、先羽根用駆動ばね５と後羽根用駆動ばね９の付勢力によって相次いで急速に時計方向へ回転させられ、各駆動ピン４ｂ，８ｂによって各アーム１７，２１を時計方向へ回転させるので、二つのスリット形成羽根２０，２５が形成するスリットにより、結像面の露光が行なわれる。
【００３７】
そして、露光作動を先に開始した先羽根用駆動部材４は、その駆動ピン４ｂが長孔１ｂの下端部にある緩衝部材２に当接して停止し、先羽根群も図示していないストッパに当接して停止する。従って、それらの停止状態においては、先羽根群の２枚の羽根１９，２０は、重畳されて開口部１ａの下方位置に格納されていることになる。他方、遅れて露光作動を開始した後羽根用駆動部材８は、後羽根群の３枚の羽根２３，２４，２５が開口部１ａを完全に覆った段階になると、その駆動ピン８ｂが長孔１ｃの下端部にある緩衝部材３に当接して停止し、後羽根群も図示していないストッパに当接して停止する。このようにして行なわれた露光作動の終了した状態が、図１に示された状態である。
【００３８】
尚、本実施例は、本発明を、先羽根系と後羽根系の両方に適用したものであるが、どちらか一方だけに適用することを妨げるものではない。また、本実施例においては、セット部材に復帰ばねを設けているが、本発明は、このように復帰ばねを設けたものに限定されるものではない。更に、本実施例においては、先羽根用駆動部材と後羽根用駆動部材とが、一つのセット部材でセットされるようにしているが、セット部材を別々に設けるようにしても差し支えない。
【００３９】
【発明の効果】
以上のように、本発明のフォーカルプレンシャッタによれば、セット部材に駆動ばね用押動部を設けるだけで、駆動部材が、露光作動に先立ってセット位置から露光作動開始位置に達したとき、従来のように駆動ばねの付勢力や、その付勢力に基づく羽根群の慣性力が、電磁石に吸着されている鉄片部材を、電磁石から離反させる力として作用しないようにすることができ、省電力化、低コスト化、コンパクト化にとって極めて有効である。また、セット部材が復帰ばねの付勢力によって初期位置へ復帰するように構成した場合でも、駆動ばねが、その復帰作動の初期段階において、セット部材を復帰作動方向へ付勢しているように構成することができるので、復帰ばねの付勢力を余り大きくしなくても、セット部材をスムーズに初期位置へ復帰させることが可能になる。
【図面の簡単な説明】
【図１】被写体側から視た場合の左側の略半分を示した実施例の平面図であって、露光作動を終了した直後の状態を示したものである。
【図２】実施例の要部を示した平面図であって、セット作動を開始した直後の状態を示したものである。
【図３】図２と同じようにして示した実施例の平面図であって、図２の状態よりも僅かにセット作動が進んだときの状態を示したものである。
【図４】図２及び図３と同じようにして示した実施例の平面図であって、図３の状態よりも僅かにセット作動が進み、セット部材の一部が先羽根用駆動ばねに接触したときの状態を示したものである。
【図５】図２〜図４と同じようにして示した実施例の平面図であって、図４の状態よりも僅かにセット作動が進み、セット部材の他の一部が後羽根用駆動ばねに接触したときの状態を示したものである。
【図６】図２〜図５と同じようにして示した実施例の平面図であって、図５の状態よりも僅かにセット作動が進み、先羽根用駆動部材に取り付けられた鉄片部材が先羽根用電磁石の鉄芯に接触したときの状態を示したものである。
【図７】図２〜図６と同じようにして示した実施例の平面図であって、図６の状態よりも僅かにセット作動が進み、後羽根用駆動部材に取り付けられた鉄片部材が後羽根用電磁石の鉄芯に接触したときの状態を示したものである。
【図８】図２〜図７と同じようにして示した実施例の平面図であって、図７の状態よりも僅かにセット作動が進んで停止したセット状態を示したものである。
【図９】図２〜図８と同じようにして示した実施例の平面図であって、カメラがレリーズされたとき、露光作動に先立って、先羽根用駆動部材と後羽根用駆動部材とが露光作動開始位置で停止した状態を示したものである。
【符号の説明】
１                      シャッタ地板
１ａ                    開口部
１ｂ，１ｃ，１ｄ        長孔
１ｅ，１ｆ，１ｇ，１ｈ，１ｉ，１ｊ，１ｋ  軸
２，３                  緩衝部材
４                      先羽根用駆動部材
４ａ，８ａ，１５ｅ      被押動部
４ｂ，８ｂ              駆動ピン
４ｃ，８ｃ              取付部
４ｄ，８ｄ，１５ｈ      筒部
５                      先羽根用駆動ばね
５ａ，５ｂ，９ａ，９ｂ，１６ａ，１６ｂ  端部
６，１０                鉄片部材
６ａ，１０ａ            鉄片部
６ｂ，１０ｂ            軸部
６ｃ，１０ｃ            頭部
７，１１                圧縮ばね
８                      後羽根用駆動部材
８ｅ，１４，１５ｆ      ばね掛け部
９                      後羽根用駆動ばね
１２                    先羽根用電磁石
１３                    後羽根用電磁石
１５                    セット部材
１５ａ，１５ｂ          押動部
１５ｃ，１５ｄ          駆動ばね用押動部
１５ｇ                  ピン
１６                    復帰ばね
１７，１８，２１，２２  アーム
１７ａ，２１ａ          孔
１９，２０，２３，２４，２５  羽根
【図１】
0004522511.tif 000002
【図２】
0004522511.tif 000003
【図３】
0004522511.tif 000004
【図４】
0004522511.tif 000005
【図５】
0004522511.tif 000006
【図６】
0004522511.tif 000007
【図７】
0004522511.tif 000008
【図８】
0004522511.tif 000009
【図９】
0004522511.tif 000010